(57)【要約】  中鎖モノカルボン酸の脂肪酸のグリセロールエステル（トリグリセリド）の製造方法が開示され、それは触媒の存在下で、部分真空下での、前駆体の遊離脂肪酸およびグリセロールの反応からなる。本プロセスは、好ましくは、タングステン、モリブデン、カルシウム、亜鉛、クロム、またはマグネシウムの酸化物または塩化物等の金属触媒を使用する。本発明の方法は、最終トリグリセリドの高収率および高純度（９９．５％超）での製造を可能にする。本方法は、溶媒を用いずにトリグリセリドの形成を可能にする。また、本方法によって得られるトリグリセリド、および賦形剤としてまたは活性成分としてトリグリセリドを含有する薬学的組成物も企図される。【特許請求の範囲】
【請求項１】
中鎖脂肪酸のトリグリセリドの製造方法であって、
ａ）グリセロールを３モル当量または過剰の前記中鎖脂肪酸と混合するステップであって、前記中鎖脂肪酸の各々が６〜１２個の炭素の鎖を含有する、ステップと、
ｂ）ステップ（ａ）の前記混合物を二価または三価の金属陽イオン触媒と反応させるステップと、
ｃ）１６０℃以上の温度で、部分真空下で、前記トリグリセリドを形成するのに十分な一定期間にわたって加熱するステップとを含む、方法。
【請求項２】
前記グリセロールが、過剰の前記脂肪酸と混合される、請求項１に記載の方法。
【請求項３】
ステップ（ｃ）の前記加熱温度が約１７５℃である、請求項１または２に記載の方法。
【請求項４】
約１〜約２０ｍｍＨｇの前記部分真空である、請求項１〜３のいずれか１項に記載の方法。
【請求項５】
約１０ｍｍＨｇの前記部分真空である、請求項４に記載の方法。
【請求項６】
前記加熱ステップ（ｃ）が８時間〜２４時間の期間にわたる、請求項４に記載の方法。
【請求項７】
前記触媒が、酸化タングステン、塩化タングステン、タングステンカルボニル、酸化カルシウム、塩化カルシウム、酸化マグネシウム、塩化マグネシウム、酸化亜鉛、塩化亜鉛、酸化マグネシウム、塩化マグネシウム、酸化モリブデン、塩化モリブデン、酸化クロム、または塩化クロムである、請求項１〜６のいずれか１項に記載の方法。
【請求項８】
前記触媒が、酸化カルシウム、酸化タングステン、または酸化亜鉛である、請求項７に記載の方法。
【請求項９】
前記中鎖脂肪酸の各々が、６個の炭素の鎖を含有する、請求項１〜８のいずれか１項に記載の方法。
【請求項１０】
前記中鎖脂肪酸の各々が、８個の炭素の鎖を含有する、請求項１〜８のいずれか１項に記載の方法。
【請求項１１】
前記中鎖脂肪酸の各々が、１０個の炭素の鎖を含有する、請求項１〜８のいずれか１項に記載の方法。
【請求項１２】
前記中鎖脂肪酸の各々が、１２個の炭素の鎖を含有する、請求項１〜８のいずれか１項に記載の方法。
【請求項１３】
前記中鎖脂肪酸が、８個の炭素の鎖を有する脂肪酸および１０個の炭素の鎖を有する脂肪酸を含む、請求項１〜８のいずれか１項に記載の方法。
【請求項１４】
前記中鎖脂肪酸の各々が、８〜１２個の炭素の鎖を含有し、
ｄ）前記部分真空から除くステップと、
ｅ）８０℃以下の温度で冷却するステップと、
ｆ）アルコール溶液を形成するように熱アルコールを添加するステップであって、前記熱アルコールが約６０℃からアルコール沸点温度まで様々な温度を有するステップと、
ｇ）前記アルコール溶液を濾過し、濾液を得るステップと、
ｈ）前記濾液を約０℃〜約２０℃の間の温度で、前記形成されたトリグリセリドを結晶化するために十分な一定期間にわたって維持するステップとをさらに含む、請求項１〜８および１０〜１３のいずれか１項に記載の方法。
【請求項１５】
前記熱アルコールが、エタノールであり、約８０℃の温度を有する、請求項１４に記載の方法。
【請求項１６】
前記冷アルコールが、約０℃〜約５℃の温度を有する、請求項１４または１５に記載の方法。
【請求項１７】
前記アルコールが、エタノールまたはイソプロパノールである、請求項１４に記載の方法。
【請求項１８】
前記温度が、ステップ（ｇ）で、少なくとも１時間にわたって維持される、請求項１４〜１７のいずれか１項に記載の方法。
【請求項１９】
前記中鎖脂肪酸の各々が、６〜７個の炭素の鎖を含有し、
ｄ）前記部分真空から除くステップと、
ｅ）８０℃以下の温度で冷却するステップと、
ｆ）有機溶液を形成するように、前記トリグリセリドを溶解させるための有機溶媒を添加するステップと、
ｇ）水酸化ナトリウムの水溶液を前記有機溶液に添加するステップと、
ｈ）前記有機溶液を回収し、前記水溶液を廃棄するステップと、
ｉ）前記有機溶液を乾燥剤で処理するステップと、
ｊ）前記有機溶液をシリカゲルに通して濾過するステップと、
ｋ）前記有機溶液を乾燥剤で処理するステップと、
ｌ）前記有機溶媒を蒸発させるステップとをさらに含む、請求項１〜９のいずれか１項に記載の方法。
【請求項２０】
前記有機溶媒が、ヘキサン、ジクロロメタン、酢酸エチル、またはエーテルである、請求項１９に記載の方法。
【請求項２１】
前記乾燥剤が、硫酸マグネシウムまたは硫酸ナトリウムである、請求項１９または２０に記載の方法。
【請求項２２】
前記方法が、７５％〜９５％の収率でかつ少なくとも９９％または９９．５％の純度でトリグリセリドを生成し、前記方法は、
ａ）グリセロールを少なくとも３モル当量の前記中鎖脂肪酸と混合するステップであって、前記中鎖脂肪酸の各々が８〜１２個の炭素の鎖を含有する、ステップと、
ｂ）ステップ（ａ）の前記混合物を、酸化カルシウム、酸化タングステン、または酸化亜鉛と反応させるステップと、
ｃ）前記トリグリセリドが形成されるように、約１７５℃の温度で、約１０ｍｍＨｇの部分真空下で、約２２時間の期間にわたって加熱するステップと、
ｄ）前記部分真空から除くステップと、
ｅ）８０℃以下の温度で冷却するステップと、
ｆ）アルコール溶液を形成するように、約８０℃の温度を有する熱アルコールを添加するステップと、
ｇ）前記アルコール溶液を濾過し、濾液を得るステップと、
ｈ）前記濾液を約０℃〜約５℃の間の温度で、約２時間の期間にわたって維持するステップとを含む、請求項１〜２１のいずれか１項に記載の方法。
【請求項２３】
前記方法が、７５％〜９５％の収率でかつ少なくとも９９％または９９．５％の純度でトリグリセリドを生成し、前記方法が、
ａ）グリセロールを少なくとも３モル当量の前記中鎖脂肪酸と混合するステップであって、前記中鎖脂肪酸の各々が６〜７個の炭素の鎖を含有する、ステップと、
ｂ）ステップ（ａ）の前記混合物を、酸化カルシウム、酸化タングステン、または酸化亜鉛と反応させるステップと、
ｃ）前記トリグリセリドが形成されるように、約１７５℃の温度で、約１０ｍｍＨｇの部分真空下で、約２２時間の期間にわたって加熱するステップと、
ｄ）前記部分真空から除くステップと、
ｅ）８０℃以下の温度で冷却するステップと、
ｆ）有機溶液を形成するように、前記トリグリセリドを溶解させるための有機溶媒を添加するステップと、
ｇ）１〜２％  ＮａＯＨの水溶液を添加するステップと、
ｈ）前記有機溶液を回収し、前記水溶液を廃棄するステップと、
ｉ）前記有機溶液を乾燥剤で処理するステップと、
ｊ）前記有機溶液をシリカゲルに通して濾過するステップと、
ｋ）前記有機溶液を乾燥剤で処理するステップと、
ｌ）前記有機溶媒を蒸発させるステップとを含む、請求項１〜２１のいずれか１項に記載の方法。
【請求項２４】
請求項１〜２３のいずれか１項に記載の方法によって製造される、中鎖脂肪酸のトリグリセリド。
【請求項２５】
請求項２２または２３に記載の方法によって製造される、中鎖脂肪酸のトリグリセリドであって、前記トリグリセリドは、少なくとも９９％の純度を有する、トリグリセリド。
【請求項２６】
前記トリグリセリドが、少なくとも９９．５％の純度を有する、請求項２５に記載のトリグリセリド。
【請求項２７】
賦形剤として、請求項２４〜２６のいずれか１項に記載のトリグリセリドを含む、薬学的製剤。
【請求項２８】
約２５〜約７５％（ｗ／ｗ）のデカン酸エチルおよび約２．５〜約１０％（ｗ／ｗ）のエタノールをさらに含む、請求項２７に記載の薬学的製剤。
【請求項２９】
その中に可溶化されている活性成分をさらに含む、請求項２７または２８に記載の薬学的製剤。
【請求項３０】
前記活性成分が、約１ｍｇ／１００ｍＬ未満の水溶性を有する、請求項２９に記載の薬学的製剤。
【請求項３１】
前記活性成分が、パクリタキセル、ゲムシタビン、シクロホスファミド、ドキソルビシン、または５−フルオロウラシルである、請求項２９に記載の薬学的製剤。
【請求項３２】
活性成分として、請求項２４〜２６のいずれか１項に記載のトリグリセリドを含む、薬学的組成物。
【請求項３３】
第２の活性成分をさらに含む、請求項３２に記載の薬学的組成物。
【請求項３４】
前記第２の活性成分が、パクリタキセル、ゲムシタビン、シクロホスファミド、ドキソルビシン、または５−フルオロウラシルである、請求項３３に記載の薬学的組成物。
【発明の詳細な説明】
【技術分野】
【０００１】
中鎖モノカルボン酸の脂肪酸のグリセロールエステル（トリグリセリド）の製造方法が開示され、それは触媒の存在下で、部分真空下での、前駆体の遊離脂肪酸およびグリセロールの反応からなる。本方法は、溶媒を用いずにトリグリセリドの形成を可能にする。本プロセスは、好ましくは、タングステン、モリブデン、カルシウム、亜鉛、クロム、またはマグネシウムの酸化物または塩化物等の金属触媒を使用する。本発明の方法は、最終トリグリセリドの高収率および高純度（９９．５％超）での製造を可能にする。本方法は、中鎖脂肪酸のトリグリセリドの大規模な製造のために特に好都合である。
【背景技術】
【０００２】
中鎖トリグリセリド（複数可）またはＭＣＴ（複数可）として知られる、中鎖脂肪酸のトリグリセリドは、グリセロールを、Ｃ８（オクタン酸またはカプリル酸）またはＣ１０（デカン酸またはカプリン酸）の炭素鎖長の脂肪酸でエステル化することによって合成することができる。ＭＣＴは、通常、Ｃ８およびＣ１０脂肪酸のグリセロールエステルと、Ｃ６（ヘキサン酸またはカプロン酸）およびＣ１２（ドデカン酸またはラウリン酸）の少量（各々の１％以下）のグリセロールエステルとの混合物として市販されている。
【０００３】
ＭＣＴおよびそれらの構成物である中鎖脂肪酸は、食品および製薬産業で使用される、非毒性材料である。例えば、Ｔｒａｕｌ  Ｋ．Ａ．ｅｔ  ａｌ．（Ｆｏｏｄ  ａｎｄ  Ｃｈｅｍｉｃａｌ  Ｔｏｘｉｃｏｌｏｇｙ  ３８：７９−９８，２０００）は、ＭＣＴが、ますます多くの食品および栄養用途において利用されてきていると述べている。また、Ｒｏａｃｈ，Ｒ．Ｒ．（Ｃｅｒｅａｌ  Ｃｈｅｍ．７３（２）：１９７−９８，１９９６）によると、トリカプリン（Ｃ１０のトリグリセリド）が、通常トリカプリリン（Ｃ８のトリグリセリド）との混合物において、プラスチック、滑沢剤、水処理のための消泡剤および帯電防止剤、ならびにベーカリー製品およびキャンディのための離型剤として使用されることが報告された。加えて、ＭＣＴはまた、種々のヒトおよび獣医科用医薬製剤において、ならびに化粧品において、主に乳化剤として使用される。米国特許第７，７４５，４８８号は、造血の誘導因子としての中鎖脂肪酸または金属塩またはトリグリセリドまたはＭＣＴの使用を記載する。ＭＴＣの安全性を支持するいくつかの毒物学研究が存在する。例えば、最大１ｇ／ｋｇのＭＣＴのヒトの食物としての消費の安全性が、数件の臨床治験において確認されてきた。実際、連邦規則集（Ｃｏｄｅ  ｏｆ  Ｆｅｄｅｒａｌ  Ｒｅｇｕｌａｔｉｏｎｓ）（ＣＦＲ）のパート１７０によれば、米国食品医薬品局（Ｕ．Ｓ．Ｆｏｏｄ  ａｎｄ  Ｄｒｕｇ  Ａｄｍｉｎｉｓｔｒａｔｉｏｎ）（ＦＤＡ）は、脂肪酸のトリグリセリドを、食物成分としての使用に対して、ＧＲＡＳ（一般に安全と認められる（ステータスとして承認してきた。また、化粧品におけるトリカプリンまたはトリカプリリン等のトリグリセリドの使用に関する文献概説は、これらの化合物の安全性を支持した（Ｉｎｔｅｒｎａｔｉｏｎａｌ  Ｊｏｕｒｎａｌ  ｏｆ  Ｔｏｘｉｃｏｌｏｇｙ  ２００１，（２０），６１−９４）。同様に、化粧品成分審査委員会（Ｃｏｓｍｅｔｉｃ  Ｉｎｇｒｅｄｉｅｎｔ  Ｒｅｖｉｅｗ）（ＣＩＲ）エキスパートパネルは、トリカプリンおよびトリカプリリンが化粧品における現在の使用法および濃度に関して安全であると結論付けた（Ｅｌｄｅｒ，Ｒ．Ｌ．ｅｔ  ａｌ．Ｊ．Ｅｎｖｉｒｏｎ．Ｐａｔｈｏｌ．Ｔｏｘｉｃｏｌ．４：１０５−１２０，１９８０）。米国特許第４，６０２，０４０号は、薬学的賦形剤としてのＭＣＴの別の適用を記載している。より最近では、ＭＣＴは、嗜好性および安定性を向上するように（Ｐｈａｒｍａｃｅｕｔｉｃａｌ  Ｄｅｖｅｌｏｐｍｅｎｔ  ａｎｄ  Ｔｅｃｈｎｏｌｏｇｙ，２００３，Ｖｏｌ．８，（１），１１１−１１５）、または薬物分布／溶解度プロフィールを改善するように、既存の薬物を製剤化するために使用された。実際、難水溶性（薬物の製剤のためのトリグリセリドの使用が、ナノ粒子、ミセル、およびエマルションを含む、異なるアプローチによって調査されてきた。例えば少し水溶性のある（薬物アネトールトリチオンの経口バイオアベイラビリティは、マイクロエマルション未満（ｓｕｂ−ｍｉｃｒｏｅｍｕｌｓｉｏｎ）のＭＣＴ製剤の使用によって向上する（Ｓｉ−Ｆｅｉ，Ｈ  ｅｔ  ａｌ．，Ｉｎｔｅｒｎａｔｉｏｎａｌ  Ｊｏｕｒｎａｌ  ｏｆ  Ｐｈａｒｍａｃｅｕｔ���ｃｓ  ２００９，３７９（１），１８−２４）。また、難水溶性（ｐｏｏｒｌｙ  ｗａｔｅｒ  ｓｏｌｕｂｌｅ）の癌薬物パクリタキセルの抗腫瘍効能および吸収は、ビヒクルとしてのＭＣＴの使用によって改善されてきた（Ｈｏｎｇ，Ｊ．Ｗ．ｅｔ  ａｌ．Ｍｏｌ．Ｃａｎｃｅｒ  Ｔｈｅｒ．２００７，６（１２）３２３９−４７、米国特許出願第２００６／０１０４９９９号）。
【０００４】
当該技術分野で典型的に知られているが、ＭＣＴは、酸の存在下かつ高温（１４０〜２６０℃）での、または７０〜９０℃でのリパーゼ等の酵素の使用による、グリセロールの中鎖脂肪酸との反応によって、得られる。これらの既知の技法によって得られる低純度のトリグリセリドは、脱色およびクロマトグラフィー精製／蒸留を必要とし、このため大規模な合成を困難にしている。一般に、これらの既知の技法によって得られる収率および純度は、不完全なエステル化ならびに後処理および精製中の生成物の損失に起因して、７５％を超えることはない。
【０００５】
ＭＣＴの合成の収率を改善する必要性が存在する。大規模な製造を考慮してその製造プロセスを単純化する必要性もまた存在する。
【発明の概要】
【０００６】
本発明のある態様は、中鎖脂肪酸のトリグリセリドの製造方法に関し、
ａ）グリセロールを３モル当量または過剰の該中鎖脂肪酸と混合するステップであって、その中鎖脂肪酸の各々が６〜１２個の炭素の鎖を含有する、ステップと、
ｂ）ステップ（ａ）の該混合物を二価または三価の金属陽イオン触媒と反応させるステップと、
ｃ）１６０℃以上の温度で、部分真空下で、該トリグリセリドを形成するのに十分な一定期間にわたって加熱するステップとを含む。該温度は、好ましくは約１６０℃〜約１８０℃、および好ましくは約１７０℃〜約１７５℃の、およびより好ましくは約１７５℃の温度である。該一定期間は、好ましくは８〜２４時間、およびより好ましくは約２２時間である。
【０００７】
グリセロールは、中鎖脂肪酸に結合するための３つの反応部位を有するため、中鎖脂肪酸の化学量論的当量は、３モル当量、または１個のグリセロールの分子に対して３個の中鎖脂肪酸の分子を意味する。過剰の中鎖脂肪酸は、１個のグリセロールの分子に対して３個を超える中鎖脂肪酸の分子、または３モル当量を超えることを意味する。好ましい実施形態において、グリセロールは、３当量を超える中鎖脂肪酸と混合される。別の好ましい実施形態において、グリセロールは、少なくとも４モル当量の中鎖脂肪酸と混合される。
【０００８】
好ましい実施形態において、部分真空は、約１ｍｍＨｇ〜約２０ｍｍＨｇ、および好ましくは約５ｍｍＨｇ〜約１５ｍｍＨｇ、およびより好ましくは約１０ｍｍＨｇの真空である。
【０００９】
好ましい実施形態において、金属塩触媒は、酸化タングステン、塩化タングステン、タングステンカルボニル、酸化カルシウム、塩化カルシウム、酸化マグネシウム、塩化マグネシウム、酸化亜鉛、塩化亜鉛、酸化マグネシウム、塩化マグネシウム、酸化モリブデン、塩化モリブデン、酸化クロム、または塩化クロムである。好ましい触媒には、酸化タングステン、塩化タングステン、酸化カルシウム、塩化カルシウム、酸化マグネシウム、塩化マグネシウム、酸化亜鉛、塩化亜鉛、酸化マグネシウム、塩化マグネシウム、酸化モリブデン、塩化モリブデン、酸化クロム、および塩化クロムが含まれる。最も好ましい触媒は、酸化カルシウムである。別の最も好ましい触媒は、酸化タングステンである。さらに最も好ましい触媒は、酸化亜鉛である。触媒の量は、好ましくは約０．５％〜約２．５％（ｗ／ｗ）、より好ましくは約１％〜約２％（ｗ／ｗ）である。
【００１０】
好ましい実施形態において、中鎖脂肪酸の各々は、６個の炭素の鎖、８個の炭素の鎖、１０個の炭素の鎖、または１２個の炭素の鎖のいずれかを含有する。
【００１１】
好ましい実施形態において、中鎖脂肪酸は、８個の炭素の鎖を有する脂肪酸および１０個の炭素の鎖を有する脂肪酸の混合物を含む。
【００１２】
中鎖脂肪酸が８〜１２個の炭素の鎖を含有する場合の実施形態において、本方法はさらに、回収ステップを含み、それは、
ｄ）部分真空から除くステップと、
ｅ）８０℃以下の温度で冷却するステップと、
ｆ）アルコール溶液を形成するように熱アルコールを添加するステップであって、その熱アルコールが約６０℃からアルコール沸点温度まで様々な温度、好ましくは約８０℃の温度を有する、ステップと、
ｇ）アルコール溶液を濾過し、濾液を得るステップと、
ｈ）濾液を約０℃〜約２０℃の間の温度、好ましくは約０℃〜約５℃で、形成されたトリグリセリドを結晶化するために十分な一定期間にわたって、好ましくは少なくとも１時間の期間にわたって、およびより好ましくは約２時間の期間にわたって維持するステップとを含む。
【００１３】
部分真空から除くとは、溶液を標準圧または周囲の大気圧に戻すことを意味することが考慮される。
【００１４】
本発明の好ましい実施形態において、熱アルコールは、エタノールまたはイソプロパノールである。別の好ましい実施形態において、熱アルコールは、エタノールであり、その温度は、約８０℃の温度である。熱アルコールの体積は、好ましくは、形成されているトリグリセリドを溶解させるのに必要である体積である。
【００１５】
冷却および結晶化前にアルコール溶液を濾過するステップは、存在し得る固体不純物の除去を可能にする。
【００１６】
好ましい実施形態において、プロセスはさらに、冷温で維持してその間に結晶化が起こる前に、冷アルコールを濾液に添加する追加のステップを含む。冷アルコールは、好ましくは約０℃〜約５℃、およびより好ましくは約０℃の温度を有する。冷アルコールの添加は、トリグリセリドの冷却およびその結晶化に寄与する。
【００１７】
好ましい実施形態において、冷アルコールは、熱アルコールと同じ種類のアルコールである。冷アルコールの体積は、好ましくは、トリグリセリドを冷却するのに有用である体積である。
【００１８】
６〜７個の炭素の中鎖脂肪酸は、揮発性脂肪酸であり、したがって回収ステップは、この特性に適合させる必要がある。中鎖脂肪酸が６〜７個の炭素の鎖を含有する場合の実施形態において、本方法はさらに、回収ステップを含み、それは、
ｄ）部分真空から除くステップと、
ｅ）８０℃以下の温度で冷却するステップと、
ｆ）有機溶液を形成するように、トリグリセリドを溶解させるための有機溶媒を添加するステップと、
ｇ）水酸化ナトリウムの水溶液を前記有機溶液に添加するステップであって、その水溶液が好ましくは１〜２％  ＮａＯＨである、ステップと、
ｈ）有機溶液を回収し、水溶液を廃棄するステップと、
ｉ）有機溶液を乾燥剤で処理するステップと、
ｊ）有機溶液をシリカゲルに通して濾過するステップと、
ｋ）有機溶液を乾燥剤で処理するステップと、
ｌ）有機溶媒を蒸発させるステップとを含む。
【００１９】
本発明の好ましい実施形態において、有機溶媒は、ヘキサン、ジクロロメタン、酢酸エチル、またはエーテルである。有機溶媒の体積は、好ましくは、反応によって形成されている全てのトリグリセリドを可溶化するのに必要である体積である。シリカゲル上での濾過は、トリグリセリドの迅速な精製を可能にする。シリカゲルは、好ましくはパッド、すなわち、シリカゲルパッドの形態である。水酸化ナトリウムの水溶液での洗浄ステップは、未反応の脂肪酸の除去を可能にする。乾燥剤で処理するステップは、乾燥剤を溶液に添加し、乾燥剤を濾過によって除去するステップを含む、化学分野で周知の処理である。乾燥剤の量は、好ましくは、有機溶液中に残った全ての水分子を捕捉するのに必要である量である。本発明の好ましい実施形態において、乾燥剤は、硫酸マグネシウムまたは硫酸ナトリウムである。
【００２０】
本発明の好ましい実施形態において、触媒は、酸化カルシウム、酸化タングステン、または酸化亜鉛であり、および生成されたトリグリセリドの収率は、７５〜９５％の収率である。
【００２１】
本発明の好ましい実施形態において、本方法は、７５％〜９５％の収率でかつ少なくとも９９％または９９．５％の純度でトリグリセリドを生成し、該方法は、
ａ）グリセロールを少なくとも３モル当量の該中鎖脂肪酸と混合するステップであって、その中鎖脂肪酸の各々が８〜１２個の炭素の鎖を含有する、ステップと、
ｂ）ステップ（ａ）の混合物を、酸化カルシウム、酸化タングステン、または酸化亜鉛と反応させるステップと、
ｃ）トリグリセリドが形成されるように、約１７５℃の温度で、約１０ｍｍＨｇの部分真空下で、約２２時間の期間にわたって加熱するステップと、
ｄ）部分真空から除くステップと、
ｅ）８０℃以下の温度で冷却するステップと、
ｆ）アルコール溶液を形成するように、約８０℃の温度を有する熱アルコールを添加するステップと、
ｇ）アルコール溶液を濾過し、濾液を得るステップと、
ｈ）濾液を約０℃〜約５℃の間の温度で、約２時間の期間にわたって維持するステップとを含む。
【００２２】
本発明の好ましい実施形態において、本方法は、７５％〜９５％の収率でかつ少なくとも９９％または９９．５％の純度でトリグリセリドを生成し、該方法は、
ａ）グリセロールを少なくとも３モル当量の該中鎖脂肪酸と混合するステップであって、その中鎖脂肪酸の各々が６〜７個の炭素の鎖を含有する、ステップと、
ｂ）ステップ（ａ）の混合物を、酸化カルシウム、酸化タングステン、または酸化亜鉛と反応させるステップと、
ｃ）トリグリセリドが形成されるように、約１７５℃の温度で、約１０ｍｍＨｇの部分真空下で、約２２時間の期間にわたって加熱するステップと、
ｄ）部分真空から除くステップと、
ｅ）８０℃以下の温度で冷却するステップと、
ｆ）有機溶液を形成するように、トリグリセリドを溶解させるための有機溶媒を添加するステップと、
ｇ）１〜２％  ＮａＯＨの水溶液を添加するステップと、
ｈ）有機溶液を回収し、水溶液を廃棄するステップと、
ｉ）有機溶液を乾燥剤で処理するステップと、
ｊ）有機溶液をシリカゲルに通して濾過するステップと、
ｋ）有機溶液を乾燥剤で処理するステップと、
ｌ）有機溶媒を蒸発させるステップとを含む。
【００２３】
本発明はまた、本発明の方法によって製造される中鎖脂肪酸のトリグリセリドに関する。
【００２４】
本発明の好ましい実施形態において、本発明の方法によって製造される中鎖脂肪酸のトリグリセリドは、少なくとも９９％の純度を有し、より好ましくは、トリグリセリドは、少なくとも９９．５％の純度を有する。
【００２５】
本発明はさらに、賦形剤として、本発明の中鎖脂肪酸のトリグリセリドを含む、薬学的製剤に関する。トリグリセリドは、難水溶性を有する活性成分の可溶化を改善するその能力を含む、異なる特性のために高く評価され得る。薬学的製剤中のトリグリセリドの濃度は、約５０％〜約９０％（ｗ／ｗ）の間で、好ましくは約７０％および約８０％（ｗ／ｗ）の間で変動し得、最も好ましくは約８０％（ｗ／ｗ）である。
【００２６】
本発明の好ましい実施形態において、薬学的製剤は、約２５〜約７５％（ｗ／ｗ）のデカン酸エチルおよび約２．５〜約１０％（ｗ／ｗ）のエタノールをさらに含む。
【００２７】
本発明の好ましい実施形態において、薬学的製剤は、その中に可溶化されている活性成分をさらに含む。有利には、活性成分は、約１ｍｇ／１００ｍＬ未満の水溶性を有する。本発明の製剤から有利に便益を得ることができる活性成分の例としては、パクリタキセル、ゲムシタビン、シクロホスファミド、ドキソルビシン、および５−フルオロウラシルがある。
【００２８】
本発明のある態様は、活性成分として、本発明の中鎖脂肪酸（複数可）のトリグリセリドを含む、薬学的組成物に関する。薬学的組成物中で、トリグリセリドは、好ましくは治療上有効量にある。中鎖脂肪酸のトリグリセリドは、多くの治療効果を有することが知られており、したがって、その治療的活性量は、所望の治療効果に応じて変動し得る。薬学的製剤中のトリグリセリドの濃度は、変動し得る。好ましくは５０％〜１００％（Ｗ／Ｗ）の間である。
【００２９】
本発明の第１３の好ましい実施形態において、薬学的組成物は、第２の活性成分をさらに含む。第２の活性成分は、トリグリセリドとのその組み合わせによる相乗効果から便益を得る場合も、得ない場合もある。かかる第２の活性成分は、パクリタキセル、ゲムシタビン、シクロホスファミド、ドキソルビシン、または５−フルオロウラシルであり得る。
【発明を実施するための形態】
【００３０】
本発明は、中鎖脂肪酸（すなわち、６〜１２個の炭素原子の鎖長）のトリグリセリドの合成のための、改善されたプロセスを提供する。グリセロールは、過剰の遊離脂肪酸、好ましくは少なくとも３モル当量、およびより好ましくは４モル当量の遊離脂肪酸と反応させられる。遊離脂肪酸は、有利にはＣ６〜Ｃ１２から選択される、所望の鎖長を有する。本発明によれば、グリセロールの遊離脂肪酸との反応は、触媒の存在下かつ溶媒の不在下で行われる。反応は、トリグリセリド生成物を生成するために、部分真空下かつ１６０〜１８０℃（好ましくは１７５℃）の間の様々な温度で行われる。本発明で企図される部分真空は、初歩的な機器を備える研究室において達成することができる低真空であり、その圧力は、大気圧よりも低く、かつ１ｍｍＨｇまたは１トルよりも高い。プロセスは、有利には、溶媒を用いずにトリグリセリドの合成を可能にする。触媒、部分真空、および熱の組み合わせは、全ての中鎖脂肪酸がグリセロールのヒドロキシル基と反応するような、中鎖脂肪酸によるグリセロールのエステル化のために理想的な条件を提示する。故に、過剰の中鎖脂肪酸が本発明の条件下でグリセロールと共に存在するとき、グリセロールの全ての、またはほぼ全てのヒドロキシル基は、中鎖脂肪酸によりエステル化される。
【００３１】
本発明の触媒は、金属塩触媒である。かかる金属塩は、次の金属のうちの１つの酸化物または塩化物である：タングステン、カルシウム、マグネシウム、亜鉛、モリブデン、またはクロム。好ましい触媒は、タングステンの酸化物およびカルシウムの酸化物である。本方法によって製造される好ましいトリグリセリドは、カプリル酸（Ｃ８脂肪酸）のトリグリセリド、およびカプリン酸（Ｃ１０脂肪酸）のトリグリセリドである。
【００３２】
本発明の化合物は、グリセロールとの中鎖脂肪酸のトリエステルであるそれらの生成物に限定されないが、本発明の特許請求の範囲外にあるが、それにもかかわらず明白である、ある特定の構造修正が本発明の範囲内に該当することは、当業者によって理解されるであろう。例えば、中鎖脂肪酸ジグリセリドが、本発明によって、グリセロールをセリノールで置き換え、そして中鎖脂肪酸の２個の分子をセリノールの２個のヒドロキシルにエステル化することによって製造され得ることは、明白な実施例を構成する。同様に、中鎖脂肪酸（複数可）のそれぞれ２個の分子および１個の分子がグリセロールにエステル化される、中鎖脂肪酸ジおよびモノグリセリドは、別の明白な実施例を提供する。さらに、種々の鎖長の炭素の中鎖脂肪酸の源を使用できることが、当業者によって理解されるであろう。したがって、中鎖トリグリセリドの市販の混合物（例えば、様々な割合でのＣ８およびＣ１０脂肪酸のグリセロールエステルの混合物）もまた、さらなる明白な実施例を構成する。最後に、本発明の別の態様において、またさもなければ不溶性の薬物の可溶化を可能にするために、中鎖トリグリセリドは、送達ビヒクルまたは賦形剤として用いることができる。さらに、デカン酸エチルおよびエタノールが共溶媒として使用されてもよい。
【００３３】
好ましくは、本プロセスによって合成されるトリグリセリドは、冷アルコールからの結晶化および／または沈殿によって回収される。かかる冷アルコールは、エタノールまたはイソプロパノールであり得る。
【００３４】
現存する問題は、高収率、高純度で、かつ妥当な費用で中鎖脂肪酸のトリグリセリドの好都合な大規模製造を提供するであろう方法を見出すことである。驚くべきことに、グリセロールが中鎖脂肪酸と混合され、部分真空下で、金属酸化物または塩化物の存在下で加熱されるとき、トリグリセリド生成物がエタノールからの沈殿後に高収率および高純度で得られることが見出されてきた。この高収率および高純度は、カラムクロマトグラフィー／蒸留による大規模な精製に関連する難題を克服する。次の実施例に示されるように、精製は、粗生成物をアルコール中に溶解させ、それをその後、好ましくは氷浴中で冷却して、純トリグリセリド生成物を沈殿させることによって達成される。
【００３５】
中鎖脂肪酸のトリグリセリドは、Ｃ６（カプロン酸、ヘキサン酸）、Ｃ８（カプリル酸、オクタン酸）、Ｃ１０（カプリン酸、デカン酸）、およびＣ１２（ラウリン酸、ドデカン酸）を含む、６〜１２個の炭素の炭素鎖長を有するモノカルボン酸の脂肪酸によるトリグリセリドを指す。偶数の炭素原子鎖長が本発明の好ましい実施形態を構成するが、グリセロールの奇数の炭素原子鎖長カルボン酸トリグリセリドもまた、高い生成物収率および純度で好都合に製造され得る。奇数の炭素原子鎖には、７（ヘプタン酸）、９（ノナン酸）および１１（ウンデカン酸）が含まれる。好ましい実施形態によれば、中鎖脂肪酸のトリグリセリドは、トリカプラート（トリカプリン）およびトリカプリラート（トリカプリリン）である。反応温度は、好ましくは１０ｍｍＨｇの部分真空下で１６０℃、およびより好ましくは同じ真空下で１７５℃である。後者の条件は、反応中に形成される副生成物の水を完全に除去し、それにより生成物トリグリセリドの形成を加速させる。１６０℃未満の温度は、これが、反応速度を低減し、遊離脂肪酸およびグリセロール反応体に対するトリグリセリド生成物の収率低減をもたらすので、比較的望ましくない場合がある。粗生成物は、好ましくは冷エタノール中に溶解され、濾過され、次いで冷エタノールから結晶化される。反応体の比率、温度、および反応の長さの適切な選択によって、７５％〜９５％の収率を達成することができる。
【００３６】
本発明のトリグリセリドは、薬学的に許容される担体を使用して、当業者に既知の方法によって製剤化されてもよい（Ｍｅｒｃｋ  Ｉｎｄｅｘ，Ｍｅｒｃｋ  ＆  Ｃｏ．，Ｒａｈｗａｙ，ＮＪ）。これらの組成物には、固体、液体、油、エマルション、ゲル、エアロゾル、吸入剤、カプセル、丸薬、パッチ、および坐剤が含まれるが、これらに限定されない。
【００３７】
本発明のトリグリセリドはまた、より低い粘度、アルコール中の溶解度、皮膚上での脂っぽくない感触等の、普通の脂肪とは異なる物理的特性を有し、したがって製薬産業および化粧品・トイレタリー産業において特別な有用性を見出す。しかしながら、その比較的高い融点に起因して、トリカプリンおよびトリラウリンは、上述の混合されたトリグリセリドまたはカプリントリグリセリドとは対照的に、固体組成物において使用することができる。
【００３８】
次の実施例は、本発明を例示するために提示されるが、本発明の範囲を限定することは意図されない。これらの実施例は、下の方程式によって要約される：
【化１】
2015510010.tif 000002
【００３９】
全てのＨＰＬＣクロマトグラムおよび質量スペクトルは、分析Ｚｏｒｂａｘ  ＳＢ−フェニルカラムを使用したＨＰ  １１００  ＬＣ−ＭＳ  Ａｇｉｌｅｎｔ器具上に、溶離液として０．０１％トリフルオロ酢酸を用いた１５〜９９％アセトニトリル−水の８分間にわたる勾配、および２ｍＬ／分の流量で記録した。ＥＬＳＤ検出器を使用して、トリグリセリドを分析した。
【実施例】
【００４０】
実施例１：トリカプリン（カプリン酸：ｎ＝８）
グリセロール（５．０ｇ、５４．３ｍｍｏｌ）を含有し、冷却器を装着した２５０ｍＬのフラスコに、カプリン酸（３７．４ｇ、２１７．２ｍｍｏｌ）および酸化カルシウム（４５．４ｍｇ、０．８ｍｍｏｌ）を添加した。混合物を１７５℃で、部分真空下（１トル、水ポンプ真空）で２２時間加熱した。冷却器中の水の温度は、カプリン酸の穏やかな還流を維持するため、および真空下での水の除去を加速するために、およそ３５℃であった。反応物を室温まで冷却し、残渣を熱エタノール（９５％、４００ｍＬ）中に溶解した。この溶液を木炭で処理し、繊維ガラス上で濾過し、０〜５℃の氷浴中で２時間冷却した。トリカプリンが白色の固体として結晶化し、それを濾過し、冷エタノール（９５％、４０ｍＬ）で洗浄した。生成物の収率：２７．５ｇ（９１％）；ｍｐ  ２９〜３１℃；１Ｈ  ＮＭＲ（４００ＭＨｚ、ＣＤＣｌ３）：δ５．２２〜５．２９（ｍ、１Ｈ）、４．２９（ｄｄ、Ｊ＝１１．９、Ｊ＝４．３、２Ｈ）、４．１４（ｄｄ、Ｊ＝１１．９、Ｊ＝６．１、２Ｈ）、２．２６〜２．３４（ｍ、６Ｈ）、１．５４〜１．６５（ｍ、６Ｈ）、１．１８〜１．３６（ｍ、３６Ｈ）、０．８７（ｔ、Ｊ＝７．０、９Ｈ）。１３Ｃ  ＮＭＲ（１０１ＭＨｚ、ＣＤＣｌ３）：δ７３．５４、１７３．１３、６９．０７、６２．３２、３４．４４、３４．２７、３２．０９、２９．６７、２９．６５、２９．５１、２９．５０、２９．３４、２９．３０、２５．１３、２５．０８、２２．９０、１４．３３；ＭＳ（ＥＳ）ｍ／ｚ５７８（Ｍ＋Ｎａ＋）；ＨＰＬＣ：５．６分。
【００４１】
実施例２：トリラウリン（ラウリン酸：ｎ＝１０）
ラウリン酸のトリグリセリドを、実施例１に記載されるように、１５ｇのラウリン酸（７４．９ｍｍｏｌ）、１．７ｇのグリセロール（１８．７ｍｍｏｌ）、および１５．７ｍｇの酸化カルシウム（０．２８ｍｍｏｌ）の使用によって製造した。生成物の収率：９ｇ（７８％）；ｍｐ＝４５〜４７℃；１Ｈ  ＮＭＲ（４００ＭＨｚ、ＣＤＣｌ３）：δ５．２５〜５．２８（ｍ、１Ｈ）、４．２９（ｄｄ、Ｊ＝１１．７、Ｊ＝４．３、２Ｈ）、４．１４（ｄｄ、Ｊ＝１１．９、Ｊ＝６．１、２Ｈ）、２．２８〜２．３４（ｍ、６Ｈ）、１．５５〜１．６６（ｍ、６Ｈ）、１．２０〜１．３６（ｍ、４８Ｈ）、０．８７（ｔ、Ｊ＝７．０、９Ｈ）。１３Ｃ（１０１ＭＨｚ、ＣＤＣｌ３）：δ?１７３．５５、１７３．１４、６９．０７、６２．３３、３４．４５、３４．２９、３２．１５、２９．８６、２９．７３、２９．７１、２９．５８、２９．５３、２９．５０、２９．３５、２９．３１、２５．１０、２２．９２、１４．３６；ＨＰＬＣ：６．５分。
【００４２】
実施例３：トリカプリリン（カプリル酸：ｎ＝６）
カプリル酸のトリグリセリドを、実施例１に記載されるように、１１ｇのカプリル酸（７４．９ｍｍｏｌ）、１．７ｇのグリセロール（１８．７ｍｍｏｌ）、および１５．７ｍｇの酸化カルシウム（０．２８ｍｍｏｌ）の使用によって製造した。トリカプリリンは液体であるため、粗生成物を、繊維ガラスの代わりにシリカゲル上で、酢酸エチル／ヘキサン（５〜１０％）を使用して濾過した。これにより、無色の油として純粋な生成物を得た。収率：８ｇ（８９％）；１Ｈ  ＮＭＲ（４００ＭＨｚ、ＣＤＣｌ３）：δ５．２５〜５．２８（ｍ、１Ｈ）、４．２９（ｄｄ、Ｊ＝１１．９、Ｊ＝４．３、２Ｈ）、４．１４（ｄｄ、Ｊ＝１１．９、Ｊ＝６．１、２Ｈ）、２．２８〜２．３４（ｍ、６Ｈ）、１．５６〜１．６６（ｍ、６Ｈ）、１．２０〜１．３６（ｍ、２４Ｈ）、０．８７（ｔ、Ｊ＝７．０、９Ｈ）。１３Ｃ（１０１ＭＨｚ、ＣＤＣｌ３）：δ１７３．５６、１７３．１４、６９．０７、６２．３３、３４．４５、３４．２８、３１．８９、３１．８８、２９．２８、２９．２４、２９．１６、２９．１４、２５．１３、２５．０８、２２．８３、１４．３０；ＨＰＬＣ：４．５分。
【００４３】
実施例４：トリカプロアート（カプロン酸：ｎ＝４）
トリカプロアートは揮発性化合物であるため、実施例１に記載される手順を若干修正した。実施例４に詳述される手順は、６〜７個の炭素の鎖の脂肪酸等の揮発性中鎖脂肪酸によりトリグリセリドを製造する方法に適用可能である。グリセロール（１．７３ｇ、１８．７ｍｍｏｌ）を含有し、冷却器、およびカプロン酸を充填したディーン・スターク・トラップ（Ｄｅａｎ−Ｓｔａｒｋ  ｔｒａｐ）を装着した、２５０ｍＬのフラスコ中に、カプロン酸（８．７ｇ、７４．９ｍｍｏｌ）および酸化カルシウム（１５．７ｍｇ、０．３ｍｍｏｌ）を添加した。混合物を１７５℃で、真空下で一晩（２２時間、１０ｍｍＨｇ）で加熱した。混合物を冷却し、酢酸エチル中に溶解させた。この溶液を１０％水酸化ナトリウム、ブライン（ＮａＣｌ）で洗浄し、水の除去のために硫酸マグネシウム−木炭で処理し、繊維ガラス上で濾過した。濾液を濃縮して、黄色の油を得、それをヘキサン中に溶解させ、１０×１０ｃｍ２シリカゲルパッド上に注いだ。化合物を１０％酢酸エチル／ヘキサンで溶出した。純粋な画分を合わせて、濃縮して、無色の油を得た。収率：５．８ｇ、８０％；１Ｈ  ＮＭＲ（４００ＭＨｚ、ＣＤＣｌ３）：δ５．２３〜５．２９（ｍ、１Ｈ）、４．２９（ｄｄ、Ｊ＝１１．９、Ｊ＝４．３、２Ｈ）、４．１４（ｄｄ、Ｊ＝１１．９、Ｊ＝６．１、２Ｈ）、２．２７〜２．３４（ｍ、６Ｈ）、１．５６〜１．６６（ｍ、６Ｈ）、１．２２〜１．３７（ｍ、１２Ｈ）、０．８９（ｔ、Ｊ＝７．０、９Ｈ）。１３Ｃ（１０１ＭＨｚ、ＣＤＣｌ３）：δ１７３．５６、１７３．１４、６９．０７、６２．３２、３４．３９、３４．２３、３１．４５、３１．４１、２４．７８、２４．７５、２２．５１、１４．１２；ＨＰＬＣ：３．８分。
【００４４】
実施例５：異なる金属触媒の使用により得られる中鎖脂肪酸のトリグリセリドの収率。
酸化カルシウム触媒をマグネシウム、亜鉛、タングステン、モリブデン、およびクロム塩と置き換えたことを除いて、実施例１〜４に記載される手順に従って、トリカプロイン、トリカプリリン、トリカプリン、およびトリラウリンの合成を行った。
【表１】
2015510010.tif 000003
【００４５】
特許請求の範囲の意義の内に入る全ての修正および置換、ならびにそれらの法的均等物が、それらの範囲内に包含されるものとする。
【００４６】
前述から、本発明が、その趣旨または本質的な特性から逸脱することなく、他の特定の形態において具体化され得ることは、当業者に明らかであろう。本発明のために提供される法的保護の範囲は、本明細書によらず、添付の特許請求の範囲により指定されるので、記載される実施形態は、限定ではなく、例示説明のみとして考慮されるべきである。
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
中鎖脂肪酸のトリグリセリドの製造方法であって、
ａ）グリセロールを３モル当量または過剰の前記中鎖脂肪酸と混合するステップであって、前記中鎖脂肪酸の各々が６〜１２個の炭素の鎖を含有する、ステップと、
ｂ）ステップ（ａ）の前記混合物を二価または三価の金属陽イオン触媒と反応させるステップと、
ｃ）１６０℃以上の温度で、部分真空下で、前記トリグリセリドを形成するのに十分な一定期間にわたって加熱するステップとを含む、方法。
【請求項２】
前記グリセロールが、過剰の前記脂肪酸と混合される、請求項１に記載の方法。
【請求項３】
ステップ（ｃ）の前記加熱温度が約１７５℃である、請求項１または２に記載の方法。
【請求項４】
約１〜約２０ｍｍＨｇの前記部分真空である、請求項１〜３のいずれか１項に記載の方法。
【請求項５】
約１０ｍｍＨｇの前記部分真空である、請求項４に記載の方法。
【請求項６】
前記加熱ステップ（ｃ）が８時間〜２４時間の期間にわたる、請求項４に記載の方法。
【請求項７】
前記触媒が、酸化タングステン、塩化タングステン、タングステンカルボニル、酸化カルシウム、塩化カルシウム、酸化マグネシウム、塩化マグネシウム、酸化亜鉛、塩化亜鉛、酸化マグネシウム、塩化マグネシウム、酸化モリブデン、塩化モリブデン、酸化クロム、または塩化クロムである、請求項１〜６のいずれか１項に記載の方法。
【請求項８】
前記触媒が、酸化カルシウム、酸化タングステン、または酸化亜鉛である、請求項７に記載の方法。
【請求項９】
前記中鎖脂肪酸の各々が、６個の炭素の鎖を含有する、請求項１〜８のいずれか１項に記載の方法。
【請求項１０】
前記中鎖脂肪酸の各々が、８個の炭素の鎖を含有する、請求項１〜８のいずれか１項に記載の方法。
【請求項１１】
前記中鎖脂肪酸の各々が、１０個の炭素の鎖を含有する、請求項１〜８のいずれか１項に記載の方法。
【請求項１２】
前記中鎖脂肪酸の各々が、１２個の炭素の鎖を含有する、請求項１〜８のいずれか１項に記載の方法。
【請求項１３】
前記中鎖脂肪酸が、８個の炭素の鎖を有する脂肪酸および１０個の炭素の鎖を有する脂肪酸を含む、請求項１〜８のいずれか１項に記載の方法。
【請求項１４】
前記中鎖脂肪酸の各々が、８〜１２個の炭素の鎖を含有し、
ｄ）前記部分真空から除くステップと、
ｅ）８０℃以下の温度で冷却するステップと、
ｆ）アルコール溶液を形成するように熱アルコールを添加するステップであって、前記熱アルコールが約６０℃からアルコール沸点温度まで様々な温度を有するステップと、
ｇ）前記アルコール溶液を濾過し、濾液を得るステップと、
ｈ）前記濾液を約０℃〜約２０℃の間の温度で、前記形成されたトリグリセリドを結晶化するために十分な一定期間にわたって維持するステップとをさらに含む、請求項１〜８および１０〜１３のいずれか１項に記載の方法。
【請求項１５】
前記熱アルコールが、エタノールであり、約８０℃の温度を有する、請求項１４に記載の方法。
【請求項１６】
前記冷アルコールが、約０℃〜約５℃の温度を有する、請求項１４または１５に記載の方法。
【請求項１７】
前記アルコールが、エタノールまたはイソプロパノールである、請求項１４に記載の方法。
【請求項１８】
前記温度が、ステップ（ｇ）で、少なくとも１時間にわたって維持される、請求項１４〜１７のいずれか１項に記載の方法。
【請求項１９】
前記中鎖脂肪酸の各々が、６〜７個の炭素の鎖を含有し、
ｄ）前記部分真空から除くステップと、
ｅ）８０℃以下の温度で冷却するステップと、
ｆ）有機溶液を形成するように、前記トリグリセリドを溶解させるための有機溶媒を添加するステップと、
ｇ）水酸化ナトリウムの水溶液を前記有機溶液に添加するステップと、
ｈ）前記有機溶液を回収し、前記水溶液を廃棄するステップと、
ｉ）前記有機溶液を乾燥剤で処理するステップと、
ｊ）前記有機溶液をシリカゲルに通して濾過するステップと、
ｋ）前記有機溶液を乾燥剤で処理するステップと、
ｌ）前記有機溶媒を蒸発させるステップとをさらに含む、請求項１〜９のいずれか１項に記載の方法。
【請求項２０】
前記有機溶媒が、ヘキサン、ジクロロメタン、酢酸エチル、またはエーテルである、請求項１９に記載の方法。
【請求項２１】
前記乾燥剤が、硫酸マグネシウムまたは硫酸ナトリウムである、請求項１９または２０に記載の方法。
【請求項２２】
前記方法が、７５％〜９５％の収率でかつ少なくとも９９％または９９．５％の純度でトリグリセリドを生成し、前記方法は、
ａ）グリセロールを少なくとも３モル当量の前記中鎖脂肪酸と混合するステップであって、前記中鎖脂肪酸の各々が８〜１２個の炭素の鎖を含有する、ステップと、
ｂ）ステップ（ａ）の前記混合物を、酸化カルシウム、酸化タングステン、または酸化亜鉛と反応させるステップと、
ｃ）前記トリグリセリドが形成されるように、約１７５℃の温度で、約１０ｍｍＨｇの部分真空下で、約２２時間の期間にわたって加熱するステップと、
ｄ）前記部分真空から除くステップと、
ｅ）８０℃以下の温度で冷却するステップと、
ｆ）アルコール溶液を形成するように、約８０℃の温度を有する熱アルコールを添加するステップと、
ｇ）前記アルコール溶液を濾過し、濾液を得るステップと、
ｈ）前記濾液を約０℃〜約５℃の間の温度で、約２時間の期間にわたって維持するステップとを含む、請求項１〜２１のいずれか１項に記載の方法。
【請求項２３】
前記方法が、７５％〜９５％の収率でかつ少なくとも９９％または９９．５％の純度でトリグリセリドを生成し、前記方法が、
ａ）グリセロールを少なくとも３モル当量の前記中鎖脂肪酸と混合するステップであって、前記中鎖脂肪酸の各々が６〜７個の炭素の鎖を含有する、ステップと、
ｂ）ステップ（ａ）の前記混合物を、酸化カルシウム、酸化タングステン、または酸化亜鉛と反応させるステップと、
ｃ）前記トリグリセリドが形成されるように、約１７５℃の温度で、約１０ｍｍＨｇの部分真空下で、約２２時間の期間にわたって加熱するステップと、
ｄ）前記部分真空から除くステップと、
ｅ）８０℃以下の温度で冷却するステップと、
ｆ）有機溶液を形成するように、前記トリグリセリドを溶解させるための有機溶媒を添加するステップと、
ｇ）１〜２％  ＮａＯＨの水溶液を添加するステップと、
ｈ）前記有機溶液を回収し、前記水溶液を廃棄するステップと、
ｉ）前記有機溶液を乾燥剤で処理するステップと、
ｊ）前記有機溶液をシリカゲルに通して濾過するステップと、
ｋ）前記有機溶液を乾燥剤で処理するステップと、
ｌ）前記有機溶媒を蒸発させるステップとを含む、請求項１〜２１のいずれか１項に記載の方法。
【請求項２４】
少なくとも９９％の中鎖脂肪酸のトリグリセリドを含み、前記中鎖脂肪酸が６〜１２個の炭素の鎖を含有する、薬学的製剤。
【請求項２５】
前記製剤が、少なくとも９９．５％の前記トリグリセリドを含む、請求項２４に記載の薬学的製剤。
【請求項２６】
前記トリグリセリドが、賦形剤である、請求項２４または２５に記載の薬学的製剤。
【請求項２７】
約２５〜約７５％（ｗ／ｗ）のデカン酸エチルおよび約２．５〜約１０％（ｗ／ｗ）のエタノールをさらに含む、請求項２６に記載の薬学的製剤。
【請求項２８】
その中に可溶化されている活性成分をさらに含む、請求項２６または２７に記載の薬学的製剤。
【請求項２９】
前記活性成分が、約１ｍｇ／１００ｍＬ未満の水溶性を有する、請求項２８に記載の薬学的製剤。
【請求項３０】
前記活性成分が、パクリタキセル、ゲムシタビン、シクロホスファミド、ドキソルビシン、または５−フルオロウラシルである、請求項２８に記載の薬学的製剤。
【請求項３１】
前記トリグリセリドが、活性成分である、請求項２４または２５に記載の薬学的製剤。
【請求項３２】
第２の活性成分をさらに含む、請求項３１に記載の薬学的組成物。
【請求項３３】
前記第２の活性成分が、パクリタキセル、ゲムシタビン、シクロホスファミド、ドキソルビシン、または５−フルオロウラシルである、請求項３２に記載の薬学的組成物。
【請求項３４】
前記トリグリセリドが、請求項１〜２３のいずれか１項に記載の方法によって製造される、請求項２４〜３３のいずれか１項に記載の薬学的製剤。
【請求項３５】
請求項１〜２３のいずれか１項に記載の方法によって製造される中鎖脂肪酸のトリグリセリドを含む、薬学的製剤。
【国際調査報告】
2015510010.tif 000004
2015510010.tif 000005
2015510010.tif 000006
2015510010.tif 000007